(57)【要約】      （修正有）【課題】長さが異なる設計であっても、安定した電気信号の伝送を保持できるケーブル構造を提供する。【解決手段】ケーブル構造は、フィラー１と、フィラーの外側を囲む第１伝送部２と、第１伝送部の外側を囲む第１遮蔽層３と、第１遮蔽層の外側を囲む第２伝送部４と、第２伝送部の外側を囲む第２遮蔽層５と、第２遮蔽層の外側を囲む編組層６と、編組層の外側を囲む絶縁表層７と、を内側から外側へ順次に少なくとも有する。第１伝送部及び第２伝送部に、それぞれ第１伝導線８１と第１アース線８２を有する複数の第１芯線部８が設けられ、第１伝送部又は第２伝送部に、第１芯線部と異なる線径を有する第２の伝導線９１と第２のアース線９２を有する複数の第２芯線部９が設けられる。【選択図】図１
0003222523.tif 000002
【実用新案登録請求の範囲】
【請求項１】
フィラーと、
前記フィラーの外側を囲む第１伝送部と、
前記第１伝送部の外側を囲む第１遮蔽層と、
前記第１遮蔽層の外側を囲む第２伝送部と、
前記第２伝送部の外側を囲む第２遮蔽層と、
前記第２遮蔽層の外側を囲む編組層と、
前記編組層の外側を囲む絶縁表層と、
を内側から外側へ少なくとも有し、
前記第１伝送部及び第２伝送部において、それぞれ複数の第１芯線部が設けられ、
前記第１伝送部又は第２伝送部において、複数の第１芯線部と異なる線径を有する複数の第２芯線部が設けられることを特徴とする、
ケーブル構造。
【請求項２】
前記第１芯線部は、少なくとも第１伝導線及び第１アース線により構成され、
前記第２芯線部は、少なくとも第２伝導線及び第２アース線により構成され、
前記第１伝導線及び前記第１アース線の線径が、それぞれ前記第２伝導線及び第２アース線の線径と異なることを特徴とする、
請求項１に記載のケーブル構造。
【請求項３】
前記第１芯線部は、２本の前記第１伝導線及び１本の前記第１アース線を有し、
前記第２芯線部は、２本の前記第２伝導線及び１本の前記第２アース線を有することを特徴とする、
請求項２に記載のケーブル構造。
【請求項４】
前記第１伝送部は、４個の第１芯線部及び２個の第２芯線部が設けられ、
前記第２伝送部は、１０個の第１芯線部が設けられることを特徴とする、
請求項２に記載のケーブル構造。
【請求項５】
前記第１伝導線の線径は３０ＡＷＧであり、
前記第２伝導線の線径は２６ＡＷＧであることを特徴とする、
請求項２に記載のケーブル構造。
【請求項６】
前記フィラーはＰＰ（ポリプロピレン、Ｐｏｌｙｐｒｏｐｙｌｅｎｅ）繊維であることを特徴とする、
請求項１に記載のケーブル構造。
【請求項７】
前記第１遮蔽層はテフロン（登録商標）（ポリテトラフルオロエチレン、Ｐｏｌｙｔｅｔｒａｆｌｕｏｒｏｅｔｈｙｌｅｎｅ、ＰＴＦＥ）であることを特徴とする、
請求項１に記載のケーブル構造。
【請求項８】
前記第２遮蔽層はアルミ箔マイラーであることを特徴とする、
請求項１に記載のケーブル構造。
【考案の詳細な説明】
【技術分野】
【０００１】
本考案は、ケーブル構造、特に、ケーブルの長さが異なる設計であっても安定した電気信号の伝送を保持するケーブル構造に関する。
【背景技術】
【０００２】
図２は、背景技術のケーブル構造１００’の断面図を示す。前記ケーブル構造１００’は、フィラー１’、第１伝送部２’、第１遮蔽層３’、第２伝送部４’、第２遮蔽層５’、編組層６’、及び絶縁表層７’を内側から外側へ少なくとも有するものである。前記フィラー１’はケーブル構造１００’の中心に設けられる。前記第１伝送部２’はフィラー１’の外側を囲む。前記第１遮蔽層３’は前記第１伝送部２’の外側を囲む。前記第２伝送部４’は前記第１遮蔽層３’の外側を囲む。前記第２遮蔽層５’は前記第２伝送部４’の外側を囲む。前記編組層６’は前記第２遮蔽層５’の外側を囲む。前記絶縁表層７’は前記編組層６’の外側を囲む。そのうち、前記第１伝送部２’及び第２伝送部４’はそれぞれ複数の芯線部８’により構成される。各芯線部８’は、少なくとも２本の伝導線８１’及び少なくとも１本のアース線８２’により構成される。前記伝導線８１’の線径は２６ＡＷＧである。
【考案の概要】
【考案が解決しようとする課題】
【０００３】
しかし、背景技術のケーブル構造１００’の伝送距離は、ケーブルの長さの増加につれて減衰する。それにより、ケーブル構造１００’の挿入損失（Ｉｎｓｅｒｔｉｏｎ  ｌｏｓｓ）は、高周波の規格を滿たすことができず、さらにケーブルの電気信号の伝送に影響を及ぼす。
【０００４】
そのため、ケーブルの長さが異なる設計であっても、安定した電気信号の伝送を保持できるケーブル構造を提供することが必要である。
【０００５】
本考案の目的は、前記ケーブル構造の長さが異なる設計であっても、安定した電気信号の伝送を保持するケーブル構造を提供することにある。
【課題を解決するための手段】
【０００６】
上記目的を実現するために、前記ケーブル構造は、フィラーと、前記フィラーの外側を囲む第１伝送部と、前記第１伝送部の外側を囲む第１遮蔽層と、前記第１遮蔽層の外側を囲む第２伝送部と、前記第２伝送部の外側を囲む第２遮蔽層と、前記第２遮蔽層の外側を囲む編組層と、前記編組層の外側を囲む絶縁表層と、を内側から外側へ少なくとも有するものである。そのうち、前記第１伝送部及び第２伝送部において、それぞれ複数の第１芯線部が設けられる。また、第１伝送部又は第２伝送部において、複数の第１芯線部と異なる線径を有する複数の第２芯線部が設けられる。
【考案の効果】
【０００７】
上述したように、第１伝送部及び第２伝送部における複数の第１芯線部及び複数の第２芯線部の配置により、本考案のケーブル構造は、異なる長さの設計であっても、安定した電気信号の伝送を保持できる。
【図面の簡単な説明】
【０００８】
【図１】本考案のケーブル構造の断面図。
【図２】背景技術のケーブル構造の断面図。
【考案を実施するための形態】
【０００９】
本考案の技術内容、構造の特徴、達成される目的、及び効果を詳細に説明するために、以下、実施例及び図面を参照しながら詳しく説明する。
【００１０】
図１は、本考案のケーブル構造１００を示す。本考案のケーブル構造１００は、フィラー１、第１伝送部２、第１遮蔽層３、第２伝送部４、第２遮蔽層５、編組層６及び絶縁表層７を少なくとも備える。
【００１１】
前記第１伝送部２はフィラー１の外側を囲む。前記第１遮蔽層３は前記第１伝送部２の外側を囲む。前記第２伝送部４は第１遮蔽層３の外側を囲む。前記第２遮蔽層５は第２伝送部４の外側を囲む。前記編組層６は前記第２遮蔽層５の外側を囲む。前記絶縁表層７は前記編組層６の外側を囲む。
【００１２】
前記第１伝送部２及び第２伝送部４において、それぞれ複数の第１芯線部８が設けられ、且つ、前記第１伝送部２又は第２伝送部４において、複数の第２芯線部９が設けられる。前記第１芯線部８及び第２芯線部９の数及び配置は、本実施例の本数に限定されず、必要により調整できる。また、第１芯線部８及び第２芯線部９の線径は異なる。
【００１３】
本実施例において、前記第１芯線部８は、少なくとも第１伝導線８１及び第１アース線８２により構成される。前記第２芯線部９は、少なくとも第２伝導線９１及び第２アース線９２により構成される。前記第１伝導線８１及び前記第１アース線８２の線径は、いずれも前記第２伝導線９１及び第２アース線９２の線径と異なる。本実施例において、前記第１芯線部は、２本の前記第１伝導線８１及び１本の前記第１アース線８２を有する。前記第２芯線部９は、２本の前記第２伝導線９１及び１本の前記第２アース線９２を有する。前記第１伝送部２は、４個の第１芯線部８及び２個の第２芯線部９が設けられる。前記第２伝送部４は、１０個の第１芯線部８が設けられる。本実施例において、前記第１伝導線８１の線径は３０ＡＷＧ（Ａｍｅｒｉｃａｎ  Ｗｉｒｅ  Ｇａｕｇｅ）であり、前記第２伝導線９１の線径は２６ＡＷＧである。
【００１４】
前記フィラー１はＰＰ（ポリプロピレン、Ｐｏｌｙｐｒｏｐｙｌｅｎｅ）繊維である。前記第１遮蔽層３はテフロン（登録商標）（ポリテトラフルオロエチレン、Ｐｏｌｙｔｅｔｒａｆｌｕｏｒｏｅｔｈｙｌｅｎｅ、ＰＴＦＥ）である。前記テフロンは、その機械的性質が比較的柔らかく、非常に低い表面エネルギー及び絶縁性を有する。前記第２遮蔽層５はアルミ箔マイラーである。前記アルミ箔マイラーは、ＥＭＩ（電磁妨害、Ｅｌｅｃｔｒｏｍａｇｎｅｔｉｃ  Ｉｎｔｅｒｆｅｒｅｎｃｅ）／ＲＦＩ（無線周波数妨害、Ｒａｄｉｏ  Ｆｒｅｑｕｅｎｃｙ  Ｉｎｔｅｒｆｅｒｅｎｃｅ）電磁シールド及び帯電防止として用いられ、良好な導電性を有し、電磁シールドの効果を提供する。
【００１５】
上述したように、第１伝送部２及び第２伝送部４における複数の第１芯線部８及び複数の第２芯線部９の配置により、本考案のケーブル構造１００は、異なる長さの設計であっても、安定した電気信号の伝送を保持できる。
【符号の説明】
【００１６】
１００  ケーブル構造
１  フィラー
２  第１伝送部
３  第１遮蔽層
４  第２伝送部
５  第２遮蔽層
６  編組層
７  絶縁表層
８  第１芯線部
８１  第１伝導線
８２  第１アース線
９  第２芯線部
９１  第２伝導線
９２  第２アース線
【図１】
0003222523.tif 000003
【図２】
0003222523.tif 000004
【手続補正書】
【提出日】令和1年6月4日(2019.6.4)
【手続補正１】
【補正対象書類名】実用新案登録請求の範囲
【補正対象項目名】請求項７
【補正方法】変更
【補正の内容】
【請求項７】
前記第１遮蔽層はＰＴＦＥ（ポリテトラフルオロエチレン、Ｐｏｌｙｔｅｔｒａｆｌｕｏｒｏｅｔｈｙｌｅｎｅ）であることを特徴とする、
請求項１に記載のケーブル構造。